(57)【要約】【課題】貯湯式温水器により風呂の追い焚きを簡単な構成で、効率よく行うようにしたものである。【解決手段】貯湯タンク２の高温水を別設のサブタンク８に導き、ここで風呂１３の温水と熱交換させるようにした。その結果、貯湯タンク２内部の上部の高温水の温度が下がる心配がなくなり、積層沸き上げ条件を乱さないようにしつつ、風呂１３の温水と貯湯タンク２内の高温水と熱交換できるようになり、効率よく追い焚きができる。【選択図】　図１
2004036930.tif 000002
【特許請求の範囲】
【請求項１】
大容量の水を加熱して貯湯する貯湯タンクと、この貯湯タンクの下部にある水を加熱手段に送り、そこで加熱された湯水を貯湯タンクの上部に戻すタンクポンプと、貯湯タンクの高温水を取り出して貯えるサブタンクと、上記サブタンクに取り入れた高温水と風呂の温水とを熱交換する風呂追いだき手段とを備えた貯湯式温水器。
【請求項２】
サブタンクに風呂伝熱通路を内設して風呂追いだき手段を構成した請求項１項記載の貯湯式温水器。
【請求項３】
タンクポンプで貯湯タンクの下部にある水を加熱手段に送りそこで加熱された高温水をサブタンクに供給し、サブタンク下部から貯湯タンク下部を連通させるように配設したバイパス通路を介してサブタンク内に高温水を貯湯していくサブタンク加熱回路と、タンクポンプで貯湯タンクの下部にある水を加熱手段に送りそこで加熱された高温水を貯湯タンク上部から貯湯していく貯湯タンク加熱回路を有し、初期の大容量の水を加熱して貯湯する場合は、サブタンク加熱回路でサブタンク内に高温水を貯湯していき、サブタンク内の高温水が満量となると、貯湯タンク加熱回路に切り替えて、貯湯タンク内に高温水を貯湯するようにするとともに、上記サブタンクには、この中の高温水と風呂の温水を熱交換する風呂追いだき手段を配置した貯湯式温水器。
【請求項４】
貯湯した高温水をサブタンク下部に設けた出湯配管を介して出湯口より取り出すようにした請求項１〜３いずれか１項記載の貯湯式温水器。
【請求項５】
貯湯した高温水をサブタンク下部に設けた出湯配管から取り出すとともに、サブタンク下部の高温水の温度が所定温度以下の時、このサブタンク下部に設けた出湯配管から取り出した温水と貯湯タンクの上部から取り出した高温水とを混合して、出湯口より取り出すようにした請求項１〜４いずれか１項記載の貯湯式温水器。
【請求項６】
貯湯タンク上部に湯量検出手段を設けるとともに、湯量検出手段が湯切れを検知すると風呂等の給湯に利用されて貯湯タンク内の高温水がなくなることによってサブタンクに低温水が供給されないように、所定時間の間、加熱手段で貯湯タンク上部に高温水を追加するように加熱する追加追い焚きをするようにした請求項１〜５いずれか１項記載の貯湯式温水器。
【請求項７】
複数の小容量のタンク体を接続してサブタンクを形成した請求項１〜６いずれか１項記載の貯湯式温水器。
【請求項８】
複数の小容量のタンク体を直列に接続ししてサブタンクを形成した請求項７記載の貯湯式温水器。
【請求項９】
貯湯タンクに近い側のサブタンクのタンク体から順次下流側のタンク体に風呂の温水を循環させるようにして風呂追い焚き手段を構成した請求項８記載の貯湯式温水器。
【発明の詳細な説明】
【０００１】
【発明の属する技術分野】
本発明は、風呂の湯を追い焚きすることができる貯湯式温水器に関するものである。
【０００２】
【従来の技術】
従来、この種の貯湯式温水器は特公昭６４−７２９８号公報に記載されているようなものが一般的であった。
【０００３】
すなわち、図４に示すように、給水管３１より貯湯タンク３２内に供給された水を電気ヒータ３３で加熱し、湯にして出湯管３４から給湯するようになっていた。
【０００４】
そして、家庭で使用するお湯を深夜電力で加熱して安価な給湯を得るため、午後１１時〜午前７時までの深夜電力を使い電気ヒー３３で貯湯タンク３２内の大容量の水を加熱して貯湯し、これを高温水として風呂等の給湯に利用していた。
【０００５】
また、風呂に用いたお湯が冷めた場合には、出湯管３４から給湯して再び足し湯をするしかなく、風呂の冷めたお湯と出湯管３４から高温水を給湯して混合することによって、風呂の湯の温度を上げるようにしていた。
【０００６】
しかしながら上記従来の貯湯式温水器では、風呂に用いたお湯が冷めた場合には、出湯管３４から給湯して再び足し湯をするしかなく、風呂の冷めたお湯と出湯管３４から高温水を給湯して混合することによって、風呂の湯の温度を上げるようにするため、風呂の湯の量が必要以上に増えたり、冷めた風呂の湯の量が多い場合には、風呂内のお湯を十分に高温とすることができず、また、ついには冷めた風呂の湯の一部を捨てて、出湯管３４から高温水を給湯しなおす等の無駄を生じていた。
【０００７】
そこで、図５に示すような貯湯タンクの上部の高温水と風呂の温水を熱交換する風呂追い焚き手段を有する貯湯式温水器が考えられた。
【０００８】
図５において、貯湯タンク４１の上部に電気ヒータ４２が取付られていて、タンクポンプ４３で貯湯タンク４１の下部より水を汲み上げ貯湯タンク４１の上部へ循環させるようになっていて、貯湯タンク４１の上部から貯湯タンク４１内の水を加熱していく積層沸き上げを行うようになっている。
【０００９】
そして、貯湯タンク４１内の高温水は貯湯タンク４１上部に設けた出湯管４４より取り出され、風呂４７等の給湯に利用され、また、利用された分だけ給水管４５を介して貯湯タンク４１の下部より供給されるようになっている。
【００１０】
さらに、貯湯タンク４１の上部には、風呂ポンプ４６で循環させる風呂４７の浴槽内の温水を熱交換して高温とする追い焚き熱交換器４８が設けてあり、風呂４７に用いたお湯が冷めた場合には、風呂ポンプ４６で風呂４７の浴槽内の温水を貯湯タンク４１の上部に設けた追い焚き熱交換器４８に送りそこで熱交換された湯水を再び風呂４１の浴槽内に戻すようにして、追い焚きをするようにしてある。
【００１１】
【発明が解決しようとする課題】
しかしながら上記の貯湯式温水器では、追い焚き熱交換器４８を貯湯タンク４１内部の上部に配設してあるため、その構成が複雑であり、例えば、追い焚き熱交換器４８に漏れなどの不良があったとしても、その確認が難しい上に、貯湯タンク４１ごと交換しなければならず、追い焚き熱交換器４８単独で修理もできないといった欠点があった。
【００１２】
さらに、貯湯タンク４１内部の上部に設けた追い焚き熱交換器４８で、風呂４７の浴槽内の温水と熱交換するようにしてあるため、追い焚き熱交換器４８での熱交換によって貯湯タンク４１内部の上部の高温水の温度が下がり、比重が変化することによって、積層沸き上げに望ましくない貯湯タンク４１内の対流が生じてしまいやすい欠点があった。
【００１３】
つまり、効率よく使用するために貯湯タンク４１の上部から加熱していく積層沸き上げを行う方式において、貯湯タンク４１の上部の高温水と下部の低温水が対流して混じっていくことで、貯湯性能の劣化、すなわち、高温水を取り出せなくなることや、加熱不要の分まで温度上昇させるために効率が下ってしまうなどの心配があった。
【００１４】
本発明は上記課題を解決したもので、簡単な構成で、積層沸き上げ条件を乱さないようにしつつ、効率よく追い焚きができる使い勝手のよい貯湯式温水器を提供することを目的としたものである。
【００１５】
【課題を解決するための手段】
本発明は上記課題を解決するもので、大容量の水を加熱して貯湯する貯湯タンクと、この貯湯タンクの下部にある水を加熱手段に送り、そこで加熱された湯水を貯湯タンクの上部に戻すタンクポンプと、貯湯タンクの高温水を取り出して貯えるサブタンクと、上記サブタンクに取り入れた高温水と風呂の温水とを熱交換する風呂追い焚き手段とを備えたものである。
【００１６】
このように、風呂追い焚き手段は、サブタンクに取り出した高温水と風呂の温水とを熱交換するように構成して、貯湯タンクの外部で貯湯タンクの高温水と風呂の湯水とを熱交換するようにしてあるので、風呂追い焚き手段の構成は簡単となり、例えば、風呂追い焚き手段に漏れなどの不良があったとしても、貯湯タンクの外部から確認できるようになり、その確認は容易になるとともに、修理もサブタンクごと風呂追い焚き手段を取り外して単独でできるようになる。
【００１７】
また、風呂追い焚き手段は、貯湯タンクで貯湯した高温水を取り出して貯湯するサブタンクで取り出した高温水と風呂の温水とを熱交換することにより、貯湯タンク内部の上部の高温水の温度が下がる心配がなくなり、積層沸き上げ条件を乱さないようにしつつ、風呂の浴槽内の温水と貯湯タンク内の高温水と熱交換できるようになり、効率よく追い焚きができ、使い勝手の向上が図れる。
【００１８】
【発明の実施の形態】
本発明の貯湯式温水器は、大容量の水を加熱して貯湯する貯湯タンクと、この貯湯タンクの下部にある水を加熱手段に送り、そこで加熱された湯水を貯湯タンクの上部に戻すタンクポンプと、貯湯タンクの高温水を取り出して貯えるサブタンクと、上記サブタンクに取り入れた高温水と風呂の温水とを熱交換する風呂追い焚き手段とを備えたものである。
【００１９】
したがって、風呂追いだき手段の構成が簡単となり、例えば、風呂追いだき手段に漏れなどの不良があったとしても、貯湯タンクの外部から確認できるようになり、その確認は容易になるとともに、修理もサブタンクごと風呂追い焚き手段を取り外して単独でできるようになる。
【００２０】
また、風呂追い焚き手段は、貯湯タンクで貯湯した高温水を取り出して貯湯するサブタンクで取り出した高温水と風呂の温水とを熱交換することにより、貯湯タンク内部の上部の高温水の温度が下がる心配がなくなり、積層沸き上げ条件を乱さないようにしつつ、風呂の浴槽内の温水と貯湯タンク内の高温水と熱交換できるようになり、効率よく追い焚きができ、使い勝手の向上が図れる。
【００２１】
さらに、風呂追い焚き手段で風呂の温水と熱交換されたサブタンク内の温水は、風呂等の給湯で貯湯タンクの高温水よりも先に利用することができ、つまり、先入れ先出しの給湯ができるようになり、できるだけサブタンク内の温水を高温に維持すできるので、風呂追いだき手段の性能を保つことができるようになる。
【００２２】
風呂追い焚き手段の実施の形態としては、サブタンクに風呂伝熱通路を内設したものが考えられる。
【００２３】
またタンクポンプで貯湯タンクの下部にある水を加熱手段に送りそこで加熱された高温水をサブタンクに供給し、サブタンク下部から貯湯タンク下部を連通させるように配設したバイパス通路を介してサブタンク内に高温水を貯湯していくサブタンク加熱回路と、タンクポンプで貯湯タンクの下部にある水を加熱手段に送りそこで加熱された高温水を貯湯タンク上部から貯湯していく貯湯タンク加熱回路を有し、初期の大容量の水を加熱して貯湯する場合は、サブタンク加熱回路でサブタンク内に高温水を貯湯していき、サブタンク内の高温水が満量となると、貯湯タンク加熱回路に切り替えて、貯湯タンク内に高温水を貯湯するようにするとともに、上記サブタンクには、この中の高温水と風呂の温水を熱交換する風呂追い焚き手段を配置した。
【００２４】
これによれば、初期の大容量の水を加熱して貯湯する場合、サブタンク加熱回路でサブタンク内に高温水を貯湯していき、サブタンク内の高温水が満量となると、貯湯タンク加熱回路に切り替えて、貯湯タンク内に高温水を貯湯するようにする。
【００２５】
上記からサブタンク内から高温水を貯湯することができるようになり、使用開始時においても、サブタンク内を高温水で満量とすることができ、サブタンク内の高温水と風呂の温水との熱交換、つまりは、風呂追い焚きが可能となる。
【００２６】
貯湯した高温水をサブタンク下部に設けた出湯配管を介して出湯口より取り出すようにすれば、サブタンク内の下部の温水、即ち、風呂追い焚き手段で風呂の温水と熱交換されたの温水から風呂などの給湯で先に利用することができ、つまり、先入れ先出しの給湯ができるようになり、できるだけサブタンク内の温水を高温にすることができるようになって風呂追い焚き手段の性能を保つことができるようになる。
【００２７】
また貯湯した高温水をサブタンク下部に設けた出湯配管から取り出すとともに、サブタンク下部の高温水の温度が所定温度以下の時、このサブタンク下部に設けた出湯配管から取り出した温水と貯湯タンクの上部から取り出した高温水とを混合して、出湯口より取り出すようにした。
【００２８】
さらに貯湯した高温水をサブタンク下部に設けた出湯配管から取り出すとともに、サブタンク下部の高温水の温度が所定温度以下の時、サブタンク下部に設けた出湯配管から取り出した温水と貯湯タンクの上部から取り出した高温水とを混合して、出湯口より取り出すように構成すれば、サブタンク下部の高温水の温度が所定温度以下の時、サブタンク下部に設けた出湯配管から取り出した温水と貯湯タンクの上部から取り出した高温水とを混合して、出湯口より取り出すように構成してあるので、サブタンク内の温水が風呂追い焚き手段で風呂の温水と熱交換されるなどして低くなっても、貯湯タンクの上部から取り出した高温水と混合して所定の温度とする事ができ、サブタンク内の温水を用いつつ、出湯口より低温の給湯を防止できるようになり、上述の先入れ先出しの給湯をしても、出湯口より低温水が供給されることがなくなり、使い勝手が増す。
【００２９】
また貯湯タンク上部に湯量検出手段を設けるとともに、湯量検出手段が湯切れを検知すると風呂等の給湯に利用されて貯湯タンク内の高温水がなくなることによってサブタンクに低温水が供給されないように、所定時間加熱手段で貯湯タンク上部に高温水を追加するように加熱する追加追いだきをするように構成とすれば、サブタンクに低温水が供給されず、上述の先入れ先出しの給湯を維持でき、風呂等の給湯に利用されてサブタンクに低温水が供給されて、サブタンク内の温水が低温となりすぎて風呂追い焚き手段で風呂の温水と熱交換出来なくなるなどの不具合を防止できるようになり、使い勝手が増すことができる。
【００３０】
サブタンクは、複数の小容量のタンク体を接続して形成した構成としてあるので、貯湯タンクのケーシングの隙間などにサブタンクを配設することができ、加えて、小型であるので、サブタンクに風呂伝熱通路を配設する製造工程も容易となって造り込みやすくなり、漏れなどの安全性も向上する。
【００３１】
これら複数のタンク体は直列に接続した構成としてあるので、サブタンクに供給された高温水は風呂などの給湯に利用されると滞ることなく順に使用されていくので、仕切弁などを使用しないで、簡単な構成で、上述の先入れ先出しの給湯を維持できる。
【００３２】
そして風呂追いだき手段において、貯湯タンクに近い側のサブタンクから風呂の温水を循環させるようにすれば、風呂の温水と熱交換されてサブタンク内の温水の温度が下がっても、貯湯タンクに近い側のサブタンクから風呂等の給湯に利用された分だけ貯湯タンクより高温水が供給され、高温に維持されやすいので、風呂の温水との熱交換を効果的に行えるようになり、風呂追いだきの時間短縮が出来るなど使い勝手が増すことができる。
【００３３】
つまり、風呂伝熱通路を循環させる風呂の温水の熱交換は、風呂伝熱通路の流入口からすなわち貯湯タンクに近い側の小型容器のサブタンクからから始まり、風呂伝熱通路を循環させていくと徐々に風呂の温水の温度は高くなっていくので、貯湯タンクの高温水の熱交換による温度低下は、貯湯タンクに近い側の小型容器のサブタンクが大きく、この貯湯タンクに近い側の小型容器のサブタンクに風呂などの給湯に利用された分だけ貯湯タンクより高温水が先に供給するようにしてあるので、風呂の温水との熱交換を効果的に行えるようになる。
【００３４】
【実施例】
以下、本発明の実施例について図面を用いて説明する。
【００３５】
図１〜３において、給水配管１を底部に接続した貯湯タンク２内の水は外部に配置した加熱手段３で加熱されるようにしてある。
【００３６】
この加熱手段３は、例えばＣＯ２冷媒等を用いたヒートポンプユニット４の配管回路の一部の加熱通路５と貯湯タンク２内の水が通るタンク伝熱通路６との組み合わせ体からなる水熱交換器で構成してある。
【００３７】
上記加熱手段３で加熱された高温水は、加熱３方弁７で、貯湯タンク２内に戻されるか、あるいは貯湯タンク２で貯湯した高温水を取り出して貯湯するサブタンク８内へ供給されるようになっている。
【００３８】
また、貯湯タンク２で貯湯した高温水は、サブタンク８側へ供給されるとともに、貯湯タンク２で貯湯した高温水とサブタンク８内の高温水とを混合して所定温度以上となるように制御するサブタンク混合弁１０側へ供給されるようになっている。
【００３９】
そして、サブタンク８内の高温水は、サブタンク８下部に設けた出湯配管１１より取り出され、サブタンク混合弁１０を介して、サブタンク８下部に設けた温度検出手段１２が所定温度以上の時はそのまま、所定温度以下の時は、上述の貯湯タンク２で貯湯した高温水と混合して所定温度以上になるように制御され、例えば台所や風呂１３の給湯口等へとつながる出湯口１４側へ供給されるようになっている。
【００４０】
さらに、サブタンク混合弁１０を介して得られた所定温度以上の温水は、出湯口１４に設けられた出湯混合弁１５で給水配管１からの低温水と混合されて、設定された温度で出湯口１４より使用者が給湯に利用するようになっている。
【００４１】
そして、出湯口１４より使用者が給湯に利用すると、それに伴い給水配管１から貯湯タンク２内に水が給水され、また、サブタンク８へは貯湯タンク２内の高温水が供給されるようになっている。
【００４２】
さらに、加熱手段３は、タンクポンプ１６で供給された貯湯タンク２の下部の冷たい水を加熱して、貯湯タンク２の上部に戻すようになっていて、貯湯タンク２内では比重差から湯が上部、水が下部に分離した状態で溜まるようになっている。
【００４３】
使用開始時などのサブタンク８内の水が低温の時には、タンクポンプ１６で貯湯タンク２の下部にある水を加熱手段３に送り、そこで加熱された高温水をサブタンク８に供給し、またサブタンク８下部の低温水はバイパス通路１７を介して貯湯タンク２に還流される。つまり、バイパス通路１７は、サブタンク８内に高温水を貯湯していくサブタンク加熱回路を形成するようになっていて、通常は、連通仕切弁１８で閉ざされている。
【００４４】
また、このサブタンク加熱回路に対して、通常は、タンクポンプ１６で貯湯タンク２の下部にある水を加熱手段３に送りそこで加熱された高温水を貯湯タンク２上部から貯湯していく貯湯タンク加熱回路を形成するようになっている。
【００４５】
１９は風呂追い焚き手段で、サブタンク８に配設した風呂伝熱通路２０内に風呂１３の温水を循環させてなる水熱交換器で構成してある。
【００４６】
また、貯湯タンク２で貯湯した高温水を取り出して貯湯するサブタンク８は、４つの小容量タンク体８ａ、８ｂ、８ｃ、８ｄを直列に接続して構成したものである。そして複数のタンク体８ａ、８ｂ、８ｃ、８ｄからなるため、ケーシング２１と貯湯タンク２の四隅の隙間に収納することも可能となる。
【００４７】
加えて、貯湯タンク２に近い側のタンク体８ａから風呂１３の温水を循環させるようにそれぞれ風呂伝熱通路２０を配設して、風呂追い焚き手段１９を構成している。
【００４８】
２２は風呂側ポンプで、風呂１３の浴槽の温水を風呂追い焚き手段１９に搬送し、ここで熱交換されて高温となった温水を再び風呂１３の浴槽へ戻すようになっている。
【００４９】
２３は貯湯タンク２上部に設けた湯量検出手段で、風呂１３などの給湯に利用されて貯湯タンク２内の高温水が少なくなって湯量検出手段２３が湯切れを検知すると、貯湯タンク２からサブタンク８に低温水が供給されないように、所定時間加熱手段３で貯湯タンク２上部に高温水を追加するようにしてある。
【００５０】
２４は制御部で、操作部で入力された条件で、加熱手段３やタンクポンプ１６や風呂側ポンプ２２などを予め決められたシーケンスでコントロールするようになっている。
【００５１】
上記した構成において、通常は、午後１１時〜午前７時までの安価な深夜電力を使って加熱手段３で大容量の水を加熱して貯湯タンク２に貯湯し、温水として風呂１３等の給湯に利用するようになっている。
【００５２】
そして、通常の貯湯タンク２に貯湯していく場合は、加熱３方弁７で、加熱手段３で加熱された高温水を貯湯タンク２内に戻すとともに連通仕切弁１８でバイパス通路１７を閉じて形成される貯湯タンク加熱回路の状態で、貯湯タンク２の下部から水をタンクポンプ１６で取り出し加熱手段３で加熱して貯湯タンク２上部へ戻して貯湯していくようになっている。
【００５３】
また、この貯湯タンク２に蓄えられた高温水は、貯湯タンク２で貯湯した高温水を取り出して貯湯するサブタンク８を介して、所定の場所の出湯口１４より、例えば台所や風呂１３の給湯口等から高温水として給湯に使用され、またその使用された分だけ給水配管１から貯湯タンク２内に水が給水されるようになっていて、貯湯タンク２内では比重差から湯が上部、水が下部に分離した状態で溜まるように積層沸き上げを行うようになっている。
【００５４】
さらに、使用開始時などのサブタンク８内の水が低温の時には、加熱３方弁７で、加熱手段３で加熱された高温水をサブタンク８に供給するとともに、連通仕切弁１８を開き、サブタンク８下部から貯湯タンク２下部に通じるバイパス通路１７を連通させて形成されるサブタンク加熱回路で、まず、サブタンク８内に高温水を貯湯していく。
【００５５】
そして、サブタンク８内の高温水が満量となると、加熱３方弁７で、加熱手段３で加熱された高温水を貯湯タンク２内に戻すとともに連通仕切弁１８でバイパス通路１７を閉じて貯湯タンク加熱回路に切り替えて、貯湯タンク２内に高温水を貯湯するようにして、初期の大容量の水を加熱して貯湯するようになっている。
【００５６】
この貯湯された高温水は、貯湯した高温水をサブタンク８下部に設けた出湯配管１１から取り出すとともに、温度検出手段で検出されたサブタンク８下部の高温水の温度が所定温度以下の時、サブタンク８下部に設けた出湯配管１１から取り出した温水と貯湯タンク２の上部から取り出した高温水とをサブタンク混合弁で混合して、所定温度以上として出湯混合弁１５で給水配管からの低温水と混合して、使用者が設定した温度にして出湯口より取り出すようにしてある。
【００５７】
そして、風呂１３等の給湯に利用されて貯湯タンク２内の高温水が少なくなると、貯湯タンク２上部に設けた湯量検出手段２３で湯切れを検知して、貯湯タンク２からサブタンク８に低温水が供給されないように、所定時間加熱手段３で貯湯タンク２上部に高温水を追加するようにしている。
【００５８】
また風呂１３に給湯された温水が冷めた場合には、貯湯タンク２を覆うケーシング２１と貯湯タンク２の四隅の隙間に少容量のタンク体を直列に接続して形成したサブタンク８内に配設した風呂伝熱通路２０に風呂ポンプ８を介して浴槽の温水を循環させるようになっていて、サブタンク８の高温水と風呂１３の温水を熱交換して、風呂１３の温水の温度を上昇させるとともに、貯湯タンク２に近い側のタンク体８ａから風呂１３の温水を循環させるように風呂追い焚き１３を行うようにしてある。
【００５９】
そして、制御部２４で、通常は、午後１１時〜午前５時までの安価な深夜電力を使って加熱手段３で大容量の水を加熱して貯湯タンク２に貯湯するなど操作部で入力された条件で、加熱手段３やタンクポンプ１６や風呂ポンプ２２などを予め決められたシーケンスでコントロールするようになっている。
【００６０】
ここで、風呂追いだき手段１９は、サブタンク８に取り出した高温水と風呂１３の温水とを熱交換するように構成して、貯湯タンク２の外部で貯湯タンク２の高温水と風呂１３の湯水とを熱交換するようにしてあるので、風呂追い焚き手段１９の構成は簡単となり、例えば、風呂追い焚き手段１９に漏れなどの不良があったとしても、貯湯タンク２の外部から確認できるようになり、その確認は容易になるとともに、修理もサブタンク８ごと風呂追い焚き手段１９を取り外して単独でできるようになる。
【００６１】
また、風呂追いだき手段１９は貯湯タンク２で貯湯した高温水を取り出して貯湯するサブタンク８で取り出した高温水と風呂１３の温水とを熱交換することにより、貯湯タンク２内部の上部の高温水の温度が下がる心配がなくなり、積層沸き上げ条件を乱さないようにしつつ、風呂１３の浴槽内の温水と貯湯タンク２内の高温水と熱交換できるようになり、効率よく追い焚きができ、使い勝手の向上が図れる。
【００６２】
さらに、風呂追い焚き手段１９で風呂１３の温水と熱交換されたサブタンク８内の温水は、風呂１３等の給湯で先に利用することができ、つまり、先入れ先出しの給湯ができるようになり、できるだけサブタンク８内の温水を高温にすることができるようになって風呂追い焚き手段１９の性能を保つことが出来るようになる。
【００６３】
そして、風呂追い焚き手段１９は、サブタンク８に配設した風呂伝熱通路２０内に風呂１３の温水を循環させてなる水熱交換器で構成してあるので、貯湯タンク２から高温水を取り出して熱交換して再び貯湯タンク２に戻す循環するポンプを必要とする構成でなく、サブタンク８内に貯湯タンク２から供給された高温水を熱交換する構成であるので、無理なく一つのタンクポンプ１６で、貯湯タンク２の貯湯と風呂追いだき１３をすることができるなど構成を簡単にすることができ、安価な構成とすることができる。
【００６４】
また、初期の大容量の水を加熱して貯湯する場合は、加熱３方弁と連通仕切弁１８を切り替えてサブタンク加熱回路を形成してサブタンク８内に高温水を貯湯していき、サブタンク８内の高温水が満量となると、加熱３方弁と連通仕切弁１８を切り替えて貯湯タンク加熱回路を形成して、貯湯タンク２内に高温水を貯湯するように構成してあるので、サブタンク８内から高温水を貯湯することができるようになり、使用開始時においても、サブタンク８内の高温水と風呂１３の温水とを熱交換することで、風呂追い焚き１３を行うことができるようになり、使い勝手が高まる。
【００６５】
さらに、風呂追い焚き手段１９で風呂１３の温水と熱交換されたサブタンク８内の温水が使用されると、貯湯タンク２から高温水がサブタンク８内に供給されて、サブタンク８内は２つの温度の温水が混在するようになるが、風呂１３等の給湯に利用する貯湯した高温水を、サブタンク８下部に設けた出湯配管１１を介して出湯口１４より取り出すように構成してあるので、サブタンク８内の下部の温水、即ち、風呂追い焚き手段１９で風呂１３の温水と熱交換されたの温水から風呂１３等の給湯で先に利用することができ、つまり、先入れ先出しの給湯ができるようになり、できるだけサブタンク８内の温水を高温に維持することができるようになって風呂追いだき手段１９の性能を保つことができるようになる。
【００６６】
そして、サブタンク８下部に設けた出湯配管１１から取り出した温水と貯湯タンク２の上部から取り出した高温水とを混合して、出湯口１４より取り出すように構成してあるので、サブタンク８内の温水が風呂追い焚き手段１９で風呂１３の温水と熱交換されるなどして低くなっても、貯湯タンク２の上部から取り出した高温水と混合して所定の温度とする事ができ、サブタンク８内の温水を用いつつ、出湯口１４より低温の給湯を防ぎ、上述の先入れ先出しの給湯をしても、低温水を供給されることがなくなり、使い勝手を増すことができるようになる。
【００６７】
また、湯量検出手段２３が湯切れを検知すると風呂１３などの給湯に利用されて貯湯タンク２内の高温水がなくなってサブタンク８に低温水が供給されないように、所定時間、加熱手段３で貯湯タンク２上部に高温水を追加するように加熱する追加追い焚きを行うように構成してあるので、サブタンク８に低温水が供給されず、上述の先入れ先出しの給湯を維持でき、風呂１３などの給湯に利用されてサブタンク８に低温水が供給されて、サブタンク８内の温水が低温となりすぎて風呂追いだき手段１９で風呂１３の温水と熱交換できなくなるなどの不具合を防止出来るようになり、使い勝手が増すことができる。
【００６８】
さらに、貯湯タンク２で貯湯した高温水を取り出して貯湯するサブタンク８は、複数の小容量のタンク体８ａ、８ｂ、８ｃ、８ｄを接続して形成してあるので、貯湯タンク２と貯湯タンク２のケーシングの隙間などを有効に利用して配設することができ、省スペース化が図れ、使い勝手が増すとともに、小型であるので、サブタンク８に風呂伝熱通路２０を配設する製造工程も容易となって造り込みやすくなり、漏れなどの安全性も向上する。
【００６９】
そして、サブタンク８を形成する複数のタンク体８ａ、８ｂ、８ｃ、８ｄは、直列に接続した構成としてあるので、サブタンク８に供給された高温水は風呂１３などの給湯に利用されると滞ることなく順に使用され、仕切弁などを使用しないで、簡単な構成で、上述の先入れ先出しの給湯を維持できる。
【００７０】
また、貯湯タンク２に近い側のタンク体８ａから風呂１３の温水を循環させるように風呂伝熱通路２０を配設してあるので、風呂１３の温水と熱交換されてサブタンク８内の温水の温度が下がっても、貯湯タンク２に近い側のタンク体８ａから風呂１３などの給湯に利用された分だけ貯湯タンク２より高温水が供給され、高温に維持されやすいので、風呂１３の温水との熱交換を効果的に行えるようになり、風呂追い焚き１３の時間短縮が出来るなど使い勝手が増すことができる。
【００７１】
つまり、風呂伝熱通路２０を循環させる風呂１３の温水の熱交換は、風呂伝熱通路２０の流入口からすなわち貯湯タンク２に近い側のタンク体８ａからから始まり、風呂伝熱通路２０を循環させていくと徐々に風呂１３の温水の温度は高くなっていくので、貯湯タンク２の高温水の熱交換による温度低下は、貯湯タンク２に近い側のタンク体８ａが大きい。
【００７２】
この貯湯タンク２に近い側のサブタンク８に貯湯タンク２より高温水が先に供給するようにしてあるので、風呂１３の温水との熱交換を効果的に行えるようになる。
【００７３】
なお、本発明の実施例では、貯湯タンク２で貯湯した高温水を取り出して貯湯するサブタンク８は、複数の小容量タンク体を接続して形成した構成で説明したが、これは１つの容器で構成してもよい。
【００７４】
また、複数の小容量タンク体それぞれに風呂伝熱通路２０を配設した構成で説明したが、これは、複数のタンク体の何れかに風呂伝熱通路２０を配設した構成でもよく、さらに、風呂伝熱通路２０はサブタンク８内に配設した構成で説明したが、これはサブタンク８の外郭に風呂伝熱通路２０を沿うように密着させて構成してもよく、その他各部の構成も本発明の目的を達成する範囲であれば、その構成はどのようなものであってよい。
【００７５】
【発明の効果】
以上説明したように本発明によれば、風呂追い焚きをサブタンクの高温水と風呂の温水とを熱交換して行うようにしているため、風呂追い焚き手段の構成が簡単となり、例えば、風呂追い焚き手段に漏れなどの不良があったとしても、貯湯タンクの外部から確認できるようになり、その確認は容易になるとともに、修理もサブタンクごと風呂追い焚き手段を取り外して単独でできるようになる。
【００７６】
また、風呂追い焚き手段は、貯湯タンクで貯湯した高温水を取り出して貯湯するサブタンクで取り出した高温水と風呂の温水とを熱交換することにより、貯湯タンク内部の上部の高温水の温度が下がる心配がなくなり、積層沸き上げ条件を乱さないようにしつつ、風呂の浴槽内の温水と貯湯タンク内の高温水と熱交換できるようになり、効率よく追い焚きができ、使い勝手の向上が図れる。
【００７７】
さらに、風呂追い焚き手段で風呂の温水と熱交換されたサブタンク内の温水は、風呂などの給湯で貯湯タンクの高温水よりも先に利用することができ、つまり、先入れ先出しの給湯ができるようになり、できるだけサブタンク内の温水を高温に維持するようになって風呂追い焚き手段の性能を保つことができるようになる。
【図面の簡単な説明】
【図１】本発明の一実施例における貯湯式温水器の構成概略図
【図２】同貯湯式温水器の概略断面図
【図３】同貯湯式温水器の制御ブロック図
【図４】従来の実施例における貯湯式温水器の構成図
【図５】他の従来の実施例における貯湯式温水器の構成図
【符号の説明】
２　貯湯タンク
３　加熱手段
８　サブタンク
１３　風呂
１６　タンクポンプ
１７　バイパス通路
１９　風呂追い焚き手段
２０　風呂伝熱通路
【図１】
2004036930.tif 000003
【図２】
2004036930.tif 000004
【図３】
2004036930.tif 000005
【図４】
2004036930.tif 000006
【図５】
2004036930.tif 000007